(57)【要約】【課題】小形で安価なカメラを提供する。【解決手段】複数の電気回路へそれぞれ別々に電源を供給する複数の電源端子７ａ〜７ｃを備え、単一電圧の電源を供給する汎用電池が電池室に装填された場合は、電池室カバーに設けられた複数の配線を介して各電源端子７ａ〜７ｃに同一電圧の電源が供給され、複数種類の電圧の電源を供給可能な専用バッテリーパックが装着された場合は、各電源端子７ａ〜７ｃに各電気回路に対応する電圧の電源が供給される。【選択図】  図１
2004198569.tif 000002
【特許請求の範囲】
【請求項１】
複数の電気回路へそれぞれ別々に電源を供給する複数の電源端子を備え、単一電圧の電源を供給する汎用電池が電池室に装填された場合は、電池室カバーに設けられた複数の配線を介して前記各電源端子に同一電圧の電源が供給され、複数種類の電圧の電源を供給可能な専用バッテリーパックが装着された場合は、前記各電源端子に前記各電気回路に対応する電圧の電源が供給されることを特徴とするカメラ。
【請求項２】
請求項１に記載のカメラにおいて、
前記複数の電気回路には、制御回路、モーター駆動回路およびマグネット駆動回路が含まれることを特徴とするカメラ。
【請求項３】
請求項１または請求項２に記載のカメラに用いられる専用バッテリーパックであって、
電源と、その電源の電圧を前記複数の電気回路のそれぞれに対応する複数の電圧に変換するための電圧変換回路とを備えることを特徴とする専用バッテリーパック。
【発明の詳細な説明】
【０００１】
【発明の属する技術分野】
本発明は、カメラとその専用バッテリーパックに関する。
【０００２】
【従来の技術】
カメラの電源には、汎用の電池の他に専用のバッテリーパックを用いることができる。汎用電池としては例えば単３型アルカリ乾電池や単３型リチウム電池などが複数本用いられ、カメラに低電圧を供給する。一方、専用のバッテリーパックはそれ自体が専用の単体の電池であるか、もしくはバッテリーケース内にさらに多くの汎用電池が内蔵されており、カメラに高電圧を供給する。
【０００３】
フィルムを連続的に巻き上げながら撮影を行う場合には、専用バッテリーパックから供給される高電圧をフィルム給送用モーターに印加して、汎用電池使用時よりも高速でフィルムを巻き上げることができる。ところが、専用バッテリーパックは電源電圧が高いので、モーター以外のカメラの制御回路へは電圧変換回路を介して供給している。
【０００４】
この出願の発明に関連する先行技術文献としては次のものがある。
【特許文献１】
特開平０６−３２４３８７号公報
【０００５】
【発明が解決しようとする課題】
しかしながら、従来のカメラでは、多くのユーザーは汎用電池を使用するにも拘わらず、専用バッテリーパックを使用する場合に備えて電圧変換回路がカメラに標準的に内蔵されているので、カメラ本体のコストが高くなり、その設置スペースを確保しなければならないという問題がある。
【０００６】
本発明は、小形で安価なカメラを提供するものである。
【０００７】
【課題を解決するための手段】
（１）  請求項１の発明は、複数の電気回路へそれぞれ別々に電源を供給する複数の電源端子を備え、単一電圧の電源を供給する汎用電池が電池室に装填された場合は、電池室カバーに設けられた複数の配線を介して各電源端子に同一電圧の電源が供給され、複数種類の電圧の電源を供給可能な専用バッテリーパックが装着された場合は、各電源端子に前記各電気回路に対応する電圧の電源が供給される。
（２）  請求項２のカメラは、複数の電気回路には、制御回路、モーター駆動回路およびマグネット駆動回路が含まれる。
（３）  請求項３の発明の専用バッテリーパックは、電源と、その電源の電圧を前記複数の電気回路のそれぞれに対応する複数の電圧に変換するための電圧変換回路とを備える。
【０００８】
【発明の実施の形態】
図１はカメラ本体の電池室部分の断面図である。また、図２はカメラ本体の電池室に装填される汎用電池と電池室カバーの断面図を示し、図３はカメラ本体下部に装着される専用バッテリーパックの部分断面図を示す。カメラ本体１の底部には電池室２が設けられる。この電池室２には、図２に示す汎用電池３ａ、３ｂを装填、あるいは図３に示す専用バッテリーパック４を装着することができる。汎用電池３ａ、３ｂはカメラ本体１に単一の電圧の電源を供給し、専用バッテリーパック４はカメラ本体１に３種類の電圧の電源を供給する。なお、汎用電池３ａ、３ｂを電池室２に装填した場合は電池室カバー５で電池室２に蓋をする。一方、専用バッテリーパック４をカメラ本体１に装着する場合には、専用バッテリーパック４の突起部４ａがカメラ本体１の電池室２へ挿入される。
【０００９】
図１に示すように、カメラ本体１の電池室２の奥には電池端子６ａ、６ｂが設けられ、それらは互いに電気的に接続される。また、電池室２の横には電源端子７が設置される。この電源端子７には４個の電源ソケット７ａ〜７ｄが内蔵されており、この内、ソケット７ｄは基準電源ソケットであり、カメラ本体１の電気回路の基準電位ＣＯＭに接続される。他の３個の電源ソケット７ａ、７ｂ、７ｃはそれぞれカメラ本体１の制御回路、モーター駆動回路およびマグネット駆動回路へ接続される。
【００１０】
一方、図２に示すように、電池室カバー５には電池端子８ａ、８ｂと電源端子９が設けられ、電源端子９には４個の電源プラグ９ａ〜９ｄが内蔵されている。プラグ９ｄはカメラ本体１の電気回路の基準電位ＣＯＭに対応するプラグであり、他の３個の電源プラグ９ａ〜９ｃは互いに接続されている。汎用電池３ａ、３ｂがカメラ本体１の電池室２に装填されて電池室カバー５で電池室２の蓋をされると、電池室カバー５の電源プラグ９ａ〜９ｄがそれぞれカメラ本体１の電源ソケット７ａ〜７ｄに差し込まれ、電気的に接続されて汎用電池３ａ、３ｂからカメラ本体１へ電源が供給される。このとき、電池室カバー５の電源プラグ９ａ〜９ｃは互いに接続されているから、カメラ本体１の電源ソケット７ａ〜７ｃには同一電圧の電源が供給される。つまり、カメラ本体１に汎用電池３ａ、３ｂが装填された場合は、カメラ本体１の制御回路、モーター駆動回路およびマグネット駆動回路に同一電圧の電源が供給される。なお、汎用電池３ａ、３ｂは、汎用電池３ａの正極と汎用電池３ｂの負極とが同一側になるように電池室２に装填され、２本の汎用電池３ａ、３ｂは直列に接続される。
【００１１】
また、図３に示すように、専用バッテリーパック４には、例えば単３型アルカリ乾電池や単３型リチウム電池などの汎用電池が６本（図３では４本のみを示す）直列に接続されて内蔵されている。なお、専用バッテリーパック４に用いられる電池の種類と本数はこの実施の形態の種類と本数に限定されるものではない。専用バッテリーパック４にはまた、電圧変換回路１０が内蔵されている。
【００１２】
図４は専用バッテリーパック４の電気回路図である。汎用電池１１ａ〜１１ｆの両端は電池端子１２ａ、１２ｂに接続され、電池端子１２ａ、１２ｂから電圧変換回路１０の入力端子ＶIN、ＧＮＤへ接続される。電圧変換回路１０は、汎用電池１１ａ〜１１ｆの両端電圧をそのまま制御回路用電源として出力端子ＶBT1へ出力するとともに、汎用電池１１ａ〜１１ｆの両端電圧を昇圧してモーター駆動用電源として出力端子ＶBT2へ出力し、マグネット駆動用電源として出力端子ＶBT3へ出力する。なお、電圧変換回路１０の出力端子ＰＧＮＤはカメラ本体１の電気回路の基準電位ＣＯＭに対応する端子である。
【００１３】
専用バッテリーパック４の電源端子１３には、４個の電源プラグ１３ａ〜１３ｄが内蔵されている。電源プラグ１３ｄはカメラ本体１の電気回路の基準電位ＣＯＭに対応するプラグであり、電圧変換回路１０の出力端子ＰＧＮＤへ接続される。電源プラグ１３ａは電圧変換回路１０の出力端子ＶBT1へ接続され、制御回路用電源を出力する。電源プラグ１３ｂは電圧変換回路１０の出力端子ＶBT2へ接続され、モーター駆動用電源を出力する。電源プラグ１３ｃは電圧変換回路１０の出力端子ＶBT3へ接続され、マグネット駆動用電源を出力する。
【００１４】
この専用バッテリーパック４がカメラ本体１の下部へ装着されると、凸部４ａがカメラ本体１の電池室２へ挿入され、電源プラグ１３ａ〜１３ｄがそれぞれカメラ本体１の電源ソケット７ａ〜７ｄに差し込まれ、電気的に接続されて専用バッテリーパック４からカメラ本体１へ電源が供給される。このとき、カメラ本体１の制御回路、モーター駆動回路およびマグネット駆動回路にはそれぞれ、電圧が異なる制御回路用電源、モーター駆動用電源およびマグネット駆動用電源が供給される。
【００１５】
図５はカメラ本体１の電気回路図である。制御回路用電源は電源端子７のソケット７ａを介してＤＣ−ＤＣコンバーター１４へ供給され、ＤＣ−ＤＣコンバーター１４によってカメラ本体１の制御回路１５へ印加する電圧まで降圧される。カメラ本体１に汎用電池３ａ、３ｂが装填された場合は制御回路用電源ソケット７ａに低電圧（電池電圧）が供給され、一方、カメラ本体１に専用バッテリーパック４が装着された場合は制御回路用電源ソケット７ａに汎用電池を装填した場合よりも高電圧が供給されるが、いずれも場合もＤＣ−ＤＣコンバーター１４により制御回路１５に適した電圧まで降圧される。
【００１６】
モーター駆動用電源は電源端子７のソケット７ｂを介してモーター駆動回路１６へ供給され、フィルム給送用モーター１７に印加される。カメラ本体１に汎用電池３ａ、３ｂが装填された場合はモーター駆動用電源ソケット７ｂに低電圧（電池電圧）が供給され、フィルム給送用モーター１７には低電圧が印加されて低速駆動される。一方、カメラ本体１に専用バッテリーパック４が装着された場合はモーター駆動用電源ソケット７ｂに汎用電池を装填した場合よりも高電圧が供給され、フィルム給送用モーター１７には高電圧が印加されて高速駆動される。
【００１７】
マグネット駆動用電源は電源端子７のソケット７ｃを介してマグネット駆動回路１８へ供給され、マグネット１９に印加される。カメラ本体１に汎用電池３ａ、３ｂと専用バッテリーパック４のいずれが装填された場合もマグネット駆動用電源ソケット７ｃに低電圧（電池電圧）が供給される。
【００１８】
このように、図２に示す汎用電池３ａ、３ｂをカメラ本体１に装填した場合には、カメラ本体１の制御回路、モーター駆動回路およびマグネット駆動回路にそれぞれ同一電圧の電源が供給される。一方、図３に示す専用バッテリーパック４がカメラ本体１に装着された場合には、カメラ本体１の制御回路、モーター駆動回路およびマグネット駆動回路にそれぞれ異なる電圧の電源が供給される。
【００１９】
この一実施の形態では、専用バッテリーバック４に電圧変換回路１０を内蔵し、カメラ本体１の制御回路、モーター駆動回路およびマグネット駆動回路にそれぞれ最適な電圧の電源を供給するようにしたので、カメラ本体１に電圧変換回路１０が不要となり、カメラ本体１のコスト低減と小型化を図ることができる。
【００２０】
また、この一実施の形態では、汎用電池３ａ、３ｂと専用バッテリーパック４から電源供給を受ける電源端子７を共用とし、この電源端子７には専用バッテリーパック４の３種類の電源電圧を受け入れることができるよう３個の電源ソケット７ａ〜７ｃを用意したので、専用バッテリーパック４を使用する場合には、異なる電圧の制御回路用電源、モーター駆動用電源およびマグネット駆動用電源を受け入れることができる。一方、汎用電池３ａ、３ｂを使用する場合は、電池室カバー５の電源プラグ９ａ〜９ｃがいずれも電池端子８ａに接続されており、制御回路、モーター駆動回路およびマグネット駆動回路には同一電圧の電源が供給される。したがって、カメラ本体１の電気回路を簡略化できる。
【００２１】
上述した一実施の形態では、カメラの電気回路を制御回路、モーター駆動回路およびマグネット駆動回路の３種類とし、専用バッテリーパックからそれらの電気回路へ異なる３種類の電圧を供給する例を示したが、カメラの電気回路の分割系統化は上述した一実施の形態に限定されず、電気回路の種類に応じて電源端子のプラグおよびソケットを用意すればよい。
【００２２】
【発明の効果】
以上説明したように本発明によれば、カメラ本体のコスト低減と小型化を図ることができる。
【図面の簡単な説明】
【図１】カメラ本体の電池室部分の断面図である。
【図２】カメラ本体の電池室に装填される汎用電池と電池室カバーの断面図である。
【図３】カメラ本体下部に装着される専用バッテリーパックの部分断面図である。
【図４】専用バッテリーパックの電気回路図である。
【図５】カメラ本体の電気回路図である。
【符号の説明】
１  カメラ本体
２  電池室
３ａ、３ｂ  汎用電池
４  専用バッテリーパック
５  電池室カバー
６ａ、６ｂ  電池端子
７  電源端子
７ａ〜７ｄ  電源ソケット
８ａ、８ｂ  電池端子
９  電源端子
９ａ〜９ｄ  電源プラグ
１０  電圧変換回路
１１ａ〜１１ｆ  汎用電池
１２ａ、１２ｂ  電池端子
１３  電源端子
１３ａ〜１３ｄ  電源プラグ
１４  ＤＣ−ＤＣコンバーター
１５  制御回路
１６  モーター駆動回路
１７  フィルム給送用モーター
１８  マグネット駆動回路
１９  マグネット
【図１】
2004198569.tif 000003
【図２】
2004198569.tif 000004
【図３】
2004198569.tif 000005
【図４】
2004198569.tif 000006
【図５】
2004198569.tif 000007